(57)【要約】【課題】大荷重の重量物を安定の良い状態で軽快に所定位置に移動させることのできる  バランスが良く、簡便かつ容易に重量物を移動させることのできる重量物運搬用横引きローラーを提供すること。【解決手段】上面に重量物Ｗを載置する回転テーブル１１を備え、下面前後に走行ローラー５Ａ、５Ｂを配備した載置台２と、該載置台２の走行方向一側に両走行ローラー５の接線から偏倚して延設されかつ駆動機構４を配備した基台３とからなり、該基台３の駆動機構４からの駆動力を前記走行ローラー５に伝達し、基台に操向ハンドル２５を具備する。【選択図】  図１
2004268887.tif 000002
【特許請求の範囲】
【請求項１】
上面に重量物を載置する回転テーブルを備え、下面の走行方向前後に走行ローラーを配備した載置台と、該載置台の走行方向一側に両走行ローラーの接線から偏倚して延設されかつ駆動機構を配備した基台とからなり、該基台の駆動機構からの駆動力を前記走行ローラーに伝達し、基台に操向ハンドルを具備したことを特徴とする重量物運搬用横引きローラー。
【請求項２】
基台の駆動機構からの駆動力を伝達用チェーンを介して走行ローラーに伝達することを特徴とする請求項１記載の重量物運搬用横引きローラー。
【請求項３】
伝達用のチェーンは、走行用ローラーの駆動軸の両端部に対して複数本ずつ連係してなることを特徴とする請求項２記載の重量物運搬用横引きローラー。
【請求項４】
基台及び載置台には、基台側キャスタと載置台側キャスタとを具備したことを特徴とする請求項１、２又は３記載の重量物運搬用横引きローラー。
【発明の詳細な説明】
【０００１】
【発明の属する技術分野】
本発明は、重量物運搬用横引きローラー、特にその動きが軽快でかつ自走式の重量物運搬用横引きローラーに関するものである。
【０００２】
【従来の技術】
従来の重量物運搬用横引きローラーによって工作機械やコンテナ等の重量物を運搬する方法は、図６、７に示すように、下面を開放した枠体３３の側面に回転軸３２によって回転可能に取り付けられた走行ローラー３１、３１を対称に合計４個備え、上面に回転可能に構成した受け部３４からなる台ローラー３０を重量物の下面４隅と床面との間に挿入し、比較軽重量の場合には人手により重量物を設置箇所まで移動させ、台ローラーを取り外すことによって行われている。
【０００３】
また、運搬に際して、人手では移動不可能な大重量物の場合には、使用する台ローラーの１台又は２台にモーター等の駆動機構を備え、台ローラー下面の走行ローラーを駆動して設置場所まで移動することを可能にする手段も採用されている（例えば、特許文献１参照。）。
【０００４】
【特許文献１】
実用新案登録第３０８０３８８号公報
【０００５】
【発明が解決しようとする課題】
上記自走式の重量物運搬用横引きローラーにより重量物を運搬する方法の場合、重量物の移送高さを低くし、安定の良い状態で移送できるものの、重量物を受ける電動ジャッキの支承能力や翼板を支持するピン軸の許容荷重による支承能力制限を受け、大荷重を支承する横引きローラーとしては不都合であった。また、上記の例では直進は可能なるも操向能力がほとんどないので重量物を据付位置（設置位置）に移送するのに長時間を要する欠点がある。
【０００６】
本発明は、上記従来の重量物運搬用横引きローラーの有する問題点を解決し、大荷重の重量物を安定の良い状態で軽快に所定位置に移動させることのできる重量物運搬用横引きローラーを提供することを目的とする。
【０００７】
【課題を解決するための手段】
上記目的を達成するため、本発明の重量物運搬用横引きローラーは、上面に重量物を載置する回転テーブルを備え、下面の走行方向前後に走行ローラーを配備した載置台と、該載置台の走行方向一側に両走行ローラーの接線から偏倚して延設されかつ駆動機構を配備した基台とからなり、該基台の駆動機構からの駆動力を前記走行ローラーに伝達し、基台に操向ハンドルを具備したことを特徴とする。
【０００８】
上記の構成からなる本発明の重量物運搬用横引きローラーは、重量物を載置した状態では、駆動機構を配備した基台が床面から持ちあげられるので平面度の悪い床面での走行時に重量物の自重力が基台に作用することがない。
【０００９】
この場合において、基台の駆動機構からの駆動力を走行用ローラーに伝達する伝達機構をチェーンとするとき、伝達用のチェーンは、走行用ローラーの駆動軸の両端部に対して複数本ずつ連係することができる。
【００１０】
これにより、重量物を載置した載置台に対し駆動力を確実に伝達せしめるとともに、走行ローラーに駆動力を伝達するチェンリンクのリンクピンを小径にすることができ、横引きローラーの高さを低くするのに有効な小径の走行ローラーとする場合にも駆動力伝達に支障を生じない。
【００１１】
また、基台及び載置台には、基台端部の下面に備えたキャスタと、載置台端部に設けた着脱式あるいはスイング式のキャスタとによって支承され、載置台側キャスタを取り外し、又は旋回浮上させ、載置台に重量物が載置されたときには基台側キャスタは床面から浮上される。
【００１２】
これにより、横引きローラーの格納場所・重量物間の移送時に、駆動機構と連係された走行用ローラーは浮上支持されるので、駆動機構との連係を遮断するために別途クラッチ等を備える必要がない。
【００１３】
【発明の実施の形態】
以下、本発明の重量物運搬用横引きローラーの実施の形態を図面に基づいて説明する。
【００１４】
図１〜２は、本発明の重量物運搬用横引きローラーの側面図を、図３は底面図を示す。
本発明の重量物運搬用横引きローラー１は、従来の台ローラーとほぼ同一の構造からなら載置台２と、この載置台２の走行方向一側に延設した基台３とからなる。載置台２は従来の台ローラーと同様に、上面に重量物Ｗを載置する回転テーブル１１を備えている。そして、下面を開放した枠体１０の側面に回転軸（図示しない）に回転可能で、かつ、走行方向前後及び左右に対称に取り付けられた走行ローラー５Ａ、５Ｂの間に駆動軸１３を通し、駆動軸１３に備えた駆動伝達ギヤ１４、１４’と、走行ローラー５Ａ，５Ｂ（５Ａ’，５Ｂ’）の回転軸端部に取り付けた従動伝達ギヤ１５Ａ，１５Ｂ（１５Ａ’，１５Ｂ’）を噛合するように構成する。
【００１５】
駆動軸１３の両端部は枠体１０から突出させ、その両端部に後述する駆動機構４からの駆動力を伝達用チェーン６、６’を介して伝達するためのスプロケット１２、１２’を取り付ける。
【００１６】
８は、キャスタで載置台２の反基台３側端部に抜き差し自在の連結ピン８Ａで取り外し可能に装着されている。
【００１７】
基台３には下面にキャスタ７を配備するとともに、上面に電動機、油圧モーター等の駆動機構４を備えている。
そして、基台側キャスタ７の下端が前述の載置台２の前後の走行ローラー５Ａ，５Ｂの接線から偏倚するように基台３が載置台２に傾斜して延設されている。
【００１８】
また、基台３には軸受け１９によって回転可能に軸支された主駆動軸１６を、該主駆動軸１６の両端部が、駆動軸１３と同様に、基台３の両側に突出するようにして取り付け、突出した両端部にスプロケット２２，２２’を嵌着し、駆動軸１３に備えたスプロケット１２、１２’とを伝達用チェーン６、６’によって連係する。
【００１９】
伝達用チェーン６、６’は、作業者の衣服の巻き込み等の危険性を低減させるために、サイドカバー１７によって覆い隠すようにする。
【００２０】
駆動機構４の駆動力は、主駆動軸１６の中央近傍に設けたスプロケット２３と駆動機構４の駆動軸に嵌着されたスプロケット２３’とを伝達用チェーン２４によって連係することによって、駆動機構４の駆動力を載置台２の走行用ローラー５Ａ，５Ａ’５Ｂ，５Ｂ’に伝えるように構成する。
【００２１】
２５は、操向ハンドルを示す。この操向ハンドル２５をオペレータが押し引きすると、重量物運搬用横引きローラー１全体が回転テーブル１１の回りに回動される。図１中のＨは、重量物移送時の載置高さを示す。
【００２２】
また、図４〜図５に示す如く、駆動機構４から駆動力を下方に回転軸４０を延設し、該回転軸４０端部に備えたウォームギヤ４１と主駆動軸１６に備えたウォームホイールギヤ４２と噛合せしめ、主駆動軸１６両端に備えたギヤ４３、４３’と、載置台２に配設した駆動軸１３の両端に備えた傘ギヤ４８、４８’を連動する連動軸４５、４５’の両端に備えた傘ギヤ４４、４４”、４７、４７’を用いるようにして構成しても構わない。
４６は、連動軸４５、４５’を軸支する軸受けを示す。
また、載置台２及び基台３の走行方向両端部に設けるキャスタ８、７は図２に１点波線で示すようにスイングさせて浮上支持させるキャスタ８’、７’でもよい。
【００２３】
上記構成において、本発明の重量物運搬用横引きローラー１を用いて重量物Ｗを移動させるときは、重量物Ｗの４隅のうち、施設内の壁面側となる２隅には従来と同様の台ローラー３０を昇降ジャッキ等の適宜手段で支持された重量物Ｗの底面と床面との間に挿入する。
【００２４】
次に、載置台側キャスタ８を取り外し、重量物運搬用横引きローラー１を重量物Ｗの残り２隅の底面と床面との間の一方若しくは、移動する重量物Ｗの重量によっては２箇所共に挿入し、重量物Ｗを支持している昇降ジャッキを下降作動して重量物Ｗを回転テーブル１１に載せる。このとき、載置台２下面の前後の走行用ローラー５は（全てが）床面に接地し、それに伴い図２に示す如く基台側キャスタ７は床面よりＭだけ浮上する。
【００２５】
この状態で、駆動機構４を作動せしめ、伝達用チェーン６を介し、走行用ローラー５を自走させる。
また、必要に応じ、オペレータが操行ハンドル２５を押し引きして重量物運搬用横引きローラー１の操行方向を修正する。
【００２６】
重量物Ｗを設置場所まで移動させた後、従来と同様にして、台ローラー３０、重量物運搬用横引きローラー１を抜き取り、重量物Ｗの移動作業が完了するものである。
【００２７】
以上、本発明の重量物運搬用横引きローラーについて、その実施例に基づいて説明したが、本発明は上記実施例に記載した構成に限定されるものではなく、例えば重量物の移動に際し、重量物の一方の辺の３箇所に本発明の重量物運搬用横引きローラーを挿入し重量物を移動するようにするなど、その趣旨を逸脱しない範囲において適宜その構成を変更することができるものである。
【００２８】
【発明の効果】
以上の如く、本発明の重量物運搬用横引きローラーによれば、重量物Ｗは、回転テーブルに受載され、載置台の前後の走行ローラーで支持されるので大荷重でもなんら問題なく支持できる他、重量物受承時に、基台側キャスタが前後の走行ローラーの接線から偏倚して床面から浮き上がるので、平面度の悪い床面を走行するときも基台が重量物の自重付加作用を受けない。
【００２９】
さらに、基台側キャスタと載置台側キャスタを備えるときは、重量物運搬用横引きローラーを重量物（移送物）・格納所間で移動させる際に速やかに移動でき、本体には、走行ローラーと駆動機構との連係を遮断するクラッチ等を組み込む必要がない等の効果を有する。
【図面の簡単な説明】
【図１】本発明の重量物運搬用横引きローラーで、重量物を載置していない場合の一部断面の側面図を示す。
【図２】本発明の重量物運搬用横引きローラーで、重量物を載置している場合の一部断面の側面図を示す。
【図３】本発明の重量物運搬用横引きローラーの底面図を示す。
【図４】本発明の別の実施例の重量物運搬用横引きローラーで、重量物を載置している場合の一部断面の側面図を示す。
【図５】本発明の別の実施例重量物運搬用横引きローラーの平面図を示す。
【図６】従来の重量物を運搬する方法に用いる台ローラーの一部断面の側面図を示す。
【図７】従来の重量物を運搬する方法に用いる台ローラーの底面図を示す。
【符号の説明】
１    重量物運搬用横引きローラー
２    載置台
３    基台
４    駆動機構
５    走行ローラー
６    伝達用チェーン
７    キャスタ
８    キャスタ
１１  回転テーブル
１３  駆動軸
【図１】
2004268887.tif 000003
【図２】
2004268887.tif 000004
【図３】
2004268887.tif 000005
【図４】
2004268887.tif 000006
【図５】
2004268887.tif 000007
【図６】
2004268887.tif 000008
【図７】
2004268887.tif 000009